(57)【要約】【課題】  ピンナップボードの外縁部を枠体で保持したパネル体を、表皮材で外覆した構造のパネル装置において、パネルとしての剛性と強度を備えているとともに、パネル体の前後のパネル面に凹凸がなく、表皮材を綺麗に全面に接着することができ、しかもパネル面の全面でピンナップ可能であるパネル装置を提供する。【解決手段】  枠体４はピンナップボード５の背面周縁部に沿う内枠部１１と、内枠部の端部に一体的に設けられ、ピンナップボードの外周端面に当接し且つピンナップボードのピンナップ面から突出しない鍔部１２とを備え、パネル体２を表皮材３で外覆するとともに、表皮材をピンナップボードの表面に接着した。【選択図】        図７
2019030605.tif 000002
【特許請求の範囲】
【請求項１】
ピンナップボードの外縁部を枠体で保持したパネル体を、表皮材で外覆した構造のパネル装置であって、前記枠体は前記ピンナップボードの背面周縁部に沿う内枠部と、該内枠部の端部に一体的に設けられ、前記ピンナップボードの外周端面に当接し且つ該ピンナップボードのピンナップ面から突出しない鍔部とを備え、前記パネル体を表皮材で外覆するとともに、該表皮材を前記ピンナップボードの表面に接着したことを特徴とするパネル装置。
【請求項２】
前記枠体は、前記内枠部の端部に表裏両側に向けて前記鍔部を形成した断面略Ｔ字形であり、前記内枠部の表裏両側にそれぞれ前記ピンナップボードの背面周縁部を位置させるとともに、前記枠体内であって表裏のピンナップボード間に芯材を挟んで互いに接着してなる請求項１記載のパネル装置。
【請求項３】
前記枠体の外周面の頂部に係合溝を形成し、前記パネル体の表裏にそれぞれ表側表皮材と裏側表皮材を配置し、両表皮材の周縁部を前記係合溝内に長尺の弾性シール材とともに押し込み係合状態で保持する請求項１又は２記載のパネル装置。
【請求項４】
前記枠体は、左右一対の縦枠と上下一対の横枠と、前記縦枠と横枠の連結部に装着するコーナー枠とからなり、前記縦枠、横枠及びコーナー枠には前記内枠部と鍔部及び係合溝を有し、前記縦枠の内枠部には、長手方向に沿ってネジを螺合する下穴となるネジ受溝とテーブルや机に取付けるための支持杆を挿入する挿入孔を有し、下側のコーナー枠には前記支持杆を挿通する貫通孔を有し、前記縦枠の内枠部の上下端に前記横枠の内枠部を当接状態で横枠の内枠部を貫通したネジを前記縦枠のネジ受溝に螺合した状態で連結するとともに、縦枠と横枠の端部間に前記コーナー枠を装着してなる請求項３記載のパネル装置。
【発明の詳細な説明】
【技術分野】
【０００１】
本発明は、パネル装置に係わり、更に詳しくはテーブルや机に天板上に設置し、フロントパネルやピンナップパネルとして使用するパネル装置に関するものである。
【背景技術】
【０００２】
従来から、ピンナップ可能なインシュレーションボードを枠体で保持するとともに、該インシュレーションボードの表面をクロスなどの表皮材で覆った構造のパネル装置は各種提供されている。
【０００３】
例えば、特許文献１には、木質の芯材としてインシュレーションボードを用い、該芯材を前面開口の金属製の基枠の内部に嵌合し、その前面と周縁部を覆うように表皮材を張り、該表皮材の周縁部を、基枠の上下及び左右の端面と後面の周縁部のみに接着剤をもって接着し、前面の芯材とは非接着としたパネル構造が開示されている。インシュレーションボードに対して基枠勝ち状態で、表皮材とインシュレーションボードとの間に隙間を設けて非接着であるので、インシュレーションボードに繰り返し画鋲を刺したり、或いは、パネルの前面に強い衝撃力が加わる等して、インシュレーションボードの前面に陥没が生じても、表皮材の前面部が陥没することはなく、パネルの外観が変わることはないというものである。
【０００４】
また、特許文献２には、ピンナップ可能な方形の板材の周囲に、枠体を構成する縦フレームと横フレームの凹溝部を嵌合し、縦フレームと横フレームを連結手段で連結するとともに、連結手段を覆うように枠体を構成するコーナー部材を嵌着し、全体を着脱可能なパネルカバーで覆った構造のパネル装置が開示されている。ここで、パネルカバーは、１枚の布を２つ折りにしてインシュレーションボードからなる板材の前後面をそれぞれ被覆する前面カバー及び後面カバーから構成され、それぞれの端縁部に設けられたファスナーをもって、前面カバーと後面カバーとの端縁部を自在に開放もしくは連結出来るようになっている。この場合も、インシュレーションボードに対して枠体勝ちとなっており、インシュレーションボードの表面とフレームとの間に段差が生じる。
【０００５】
前述の特許文献１、２記載のパネル装置は、インシュレーションボードの周囲が枠体によって外被されているので、インシュレーションボードの前面あるいは前後面の周縁部には枠体が存在するのでピンナップできない。しかも、枠体は表皮材で覆われていて見えないので、間違って枠体に画鋲やピンを突き刺すといった事態も想定される。更に、インシュレーションボードと表皮材との間に隙間があるので、ピンナップした箇所と、それ以外の箇所で表皮材の撓み具合が異なり、外観的に違和感が生じるばかりでなく、画鋲やピンを抜き差しする際に、表皮材が画鋲やピンに引っかかって面外に変位するといった事態も生じる。
【０００６】
また、前述の特許文献１、２記載のパネル装置は、仮に表皮材を全面に接着したとしても、インシュレーションボードの表面とフレームとの間に段差が出る。そこで、インシュレーションボードに対して枠体勝ちのまま、枠体とインシュレーションボードを段差がないように設計したとしても、枠体とインシュレーションボードの硬度の違いから、圧締の際に枠体とインシュレーションボードの境界部分に段差が出てしまう。
【先行技術文献】
【特許文献】
【０００７】
【特許文献１】特許第３９７７５３７号公報
【特許文献２】特許第４４１６８６９号公報
【発明の概要】
【発明が解決しようとする課題】
【０００８】
そこで、本発明が前述の状況に鑑み、解決しようとするところは、ピンナップボードの外縁部を枠体で保持したパネル体を、表皮材で外覆した構造のパネル装置において、パネルとしての剛性と強度を備えているとともに、パネル体の前後のパネル面に凹凸がなく、表皮材を綺麗に全面に接着することができ、しかもパネル面の全面でピンナップ可能であるパネル装置を提供する点にある。
【課題を解決するための手段】
【０００９】
本発明は、前述の課題解決のために、以下に構成するパネル装置を提供する。
【００１０】
（１）
ピンナップボードの外縁部を枠体で保持したパネル体を、表皮材で外覆した構造のパネル装置であって、前記枠体は前記ピンナップボードの背面周縁部に沿う内枠部と、該内枠部の端部に一体的に設けられ、前記ピンナップボードの外周端面に当接し且つ該ピンナップボードのピンナップ面から突出しない鍔部とを備え、前記パネル体を表皮材で外覆するとともに、該表皮材を前記ピンナップボードの表面に接着したことを特徴とするパネル装置。
【００１１】
（２）
前記枠体は、前記内枠部の端部に表裏両側に向けて前記鍔部を形成した断面略Ｔ字形であり、前記内枠部の表裏両側にそれぞれ前記ピンナップボードの背面周縁部を位置させるとともに、前記枠体内であって表裏のピンナップボード間に芯材を挟んで互いに接着してなる（１）記載のパネル装置。
【００１２】
（３）
前記枠体の外周面の頂部に係合溝を形成し、前記パネル体の表裏にそれぞれ表側表皮材と裏側表皮材を配置し、両表皮材の周縁部を前記係合溝内に長尺の弾性シール材とともに押し込み係合状態で保持する（１）又は（２）記載のパネル装置。
【００１３】
（４）
前記枠体は、左右一対の縦枠と上下一対の横枠と、前記縦枠と横枠の連結部に装着するコーナー枠とからなり、前記縦枠、横枠及びコーナー枠には前記内枠部と鍔部及び係合溝を有し、前記縦枠の内枠部には、長手方向に沿ってネジを螺合する下穴となるネジ受溝とテーブルや机に取付けるための支持杆を挿入する挿入孔を有し、下側のコーナー枠には前記支持杆を挿通する貫通孔を有し、前記縦枠の内枠部の上下端に前記横枠の内枠部を当接状態で横枠の内枠部を貫通したネジを前記縦枠のネジ受溝に螺合した状態で連結するとともに、縦枠と横枠の端部間に前記コーナー枠を装着してなる（３）記載のパネル装置。
【発明の効果】
【００１４】
以上にしてなる本発明のパネル装置は、以下に示す効果を奏する。
【００１５】
（１）の構成によれば、パネルとしての剛性と強度を備えているとともに、パネル体の前後のピンナップ面に凹凸がなく、表皮材を綺麗に全面に接着することができ、しかもパネル面の略全面でピンナップ可能である。また、枠体の薄い鍔部のみがパネル体の周囲面に存在する形態であるので、ピンナップボードの周縁と鍔部の境界は、ピンナップ面の周縁角部に位置し、それにより段差が生じ難く、また段差が生じても視認し難いものとなり、表皮材をパネル体の表面に圧締して綺麗に接着することができる。
【００１６】
（２）の構成によれば、表裏のピンナップボードが芯材を挟んで接着されているので、更に強度が向上するとともに、表裏のピンナップボードの厚さが薄くても画鋲やピンの抜き差し時に撓むことがなく、またパネル装置の表裏両面がピンナップ可能であるので、対面使用のテーブルや机において前後の天板の中央部に設置してフロントパネルとして使用できる。また、表裏のピンナップボード間に芯材を挟んで互いに接着する場合に、ピンナップボードを圧締しても、枠体の鍔部がピンナップボードのピンナップ面から突出しないようにしているので、パネル面に目立った段差は生じない。
【００１７】
（３）の構成によれば、パネル体に対して表皮材を張力を持たせて張る作業が容易になり、該表皮材をピンナップボードのピンナップ面にしわが無く綺麗に接着することができる。
【００１８】
（４）の構成によれば、特別な連結部材を用いることなく縦枠と横枠を連結することができ、また連結部における縦枠と横枠の端面間の空間をコーナー枠で埋めて枠体として段差無く連続させることができ、またテーブルや机に取付けるための支持杆の装着も容易になる。更に、縦枠と横枠を連結し、コーナー枠を装着して枠体を組み立てた後、一方のピンナップボードを水平台に置き、その上に枠体の内枠部の表裏一側を載せて周囲の鍔部を外嵌し、それから表裏両面に接着剤を塗布した芯材を枠体内で前記ピンナップボードの上に載置し、更にその上からもう一方のピンナップボードを枠体の鍔部内に嵌合して載置し、その上から接着剤が硬化するまで加圧板で押圧することにより、簡単且つ強固なパネル体となる。
【図面の簡単な説明】
【００１９】
【図１】本発明に係るパネル装置を対面使用のテーブルの前後中央部に立起状態で装着した使用例を示す斜視図である。
【図２】本発明に係るパネル装置を示す斜視図である。
【図３】パネル装置を構成するパネル体の分解斜視図である。
【図４】パネル装置の分解斜視図である。
【図５】枠体の構造を示す部分分解斜視図である。
【図６】パネル装置の部分縦断正面図である。
【図７】パネル装置の部分横断平面図である。
【図８】パネル装置の部分縦断側面図である。
【図９】テーブルにパネル装置を装着した状態の部分斜視図である。
【発明を実施するための形態】
【００２０】
次に、添付図面に示した実施形態に基づき、本発明を更に詳細に説明する。図１は本発明に係るパネル装置の使用状態を示し、図２はパネル装置の全体を示し、図３〜図４はその詳細を示し、図中符号１はパネル装置、２はパネル体、３は表皮材、４は枠体、５はピンナップボード、６は芯材、７は弾性シール材、８は縦枠、９は横枠、１０はコーナー枠をそれぞれ示している。
【００２１】
本発明のパネル装置１は、ピンナップボード５の外縁部を枠体４で保持したパネル体２を、表皮材３で外覆した構造であって、前記枠体４は前記ピンナップボード５の背面周縁部に沿う内枠部１１と、該内枠部１１の端部に一体的に設けられ、前記ピンナップボード５の外周端面に当接し且つ該ピンナップボード５のピンナップ面から突出しない鍔部１２とを備え、前記パネル体２を表皮材３で外覆するとともに、該表皮材３を前記ピンナップボード５の表面に接着した構造である。ここで、前記枠体４の鍔部１２は、強度を確保できれば厚さは薄い方が良い。また、前記鍔部１２の外面は、先端になるにつれて前記ピンナップボード５に接近するような傾斜面あるいは曲面となっていることが好ましい。
【００２２】
前記枠体４の鍔部１２がピンナップボード５のピンナップ面から突出しないので、ピンナップボード５のピンナップ面、即ち前面には段差が生じない。そのため、前記パネル体２を表皮材３で外覆する際に、綺麗に接着することができる。また、前記パネル体２のパネル面の略全面がピンナップボード５で占めるので、周縁部も含めて略全面がピンナップ可能となる。ここで、前記パネル体２のパネル面とは、ピンナップボード５のピンナップ面と枠体４の鍔部１２の端縁を合わせた面を意味する。また、前記枠体４の鍔部１２がピンナップボード５のピンナップ面から突出しないとは、圧締後の完成状態での寸法関係を示す。
【００２３】
本発明のパネル装置１は、図１に示すように、対面使用のテーブルＡの前後の天板１３，１３間の中央部に立起状態に装着して使用する。前記ピンナップボード５としては、画鋲やピンを突き刺すことが可能な材質であれば特に限定されないが、強度や経済性の面でインシュレーションボードが好ましい。また、前記表皮材３は、画鋲やピンを容易に貫通させることができ、また繰り返し突き刺しても外観に変化がないシート素材を用い、例えばクロスを用いる。
【００２４】
更に詳しくは、前記枠体４は、図３〜図８に示すように、前記内枠部１１の端部に表裏両側に向けて前記鍔部１２，１２を形成した断面略Ｔ字形であり、前記内枠部１１の表裏両側にそれぞれ前記ピンナップボード５，５の背面周縁部を位置させるとともに、前記枠体４内であって表裏のピンナップボード５，５間に芯材６を挟んで互いに接着している。ここで、前記芯材６としては、ペーパーハニカムを用いている。
【００２５】
前記パネル体２の外面に前記表皮材３をしわが生じないように張力を持たせて綺麗に張るために、前記枠体４の外周面の頂部に係合溝１４を形成し、前記パネル体２の表裏にそれぞれ表側表皮材３Ａと裏側表皮材３Ｂを配置し、両表皮材３Ａ，３Ｂの周縁部を前記係合溝１４内に長尺の弾性シール材７とともに押し込み係合状態で保持する。
【００２６】
具体的には、前記枠体４は、図３及び図５に示すように、左右一対の縦枠８，８と上下一対の横枠９，９と、前記縦枠８と横枠９の連結部に装着するコーナー枠１０とからなり、前記縦枠８、横枠９及びコーナー枠１０には前記内枠部１１と鍔部１２，１２及び係合溝１４を有し、前記縦枠８の内枠部１１には、長手方向に沿ってネジを螺合する下穴となるネジ受溝１５とテーブルＡや机に取付けるための支持杆１６を挿入する挿入孔１７を有し、下側のコーナー枠１０には前記支持杆１６を挿通する貫通孔１８を有し、前記縦枠８の内枠部１１の上下端に前記横枠９の内枠部１１を当接状態で横枠９の内枠部１１を貫通したネジ１９を前記縦枠のネジ受溝１５に螺合した状態で連結するとともに、縦枠８と横枠９の端部間に前記コーナー枠１０を装着している。本実施形態では、前記ネジ受溝１５はＣ字溝で構成している。
【００２７】
更に詳しくは、前記縦枠８と横枠９は、アルミニウム若しくは合成樹脂の押出し型材である。前記縦枠８は、横枠９よりも内枠部１１の正面視幅が大きく、内部が中空となっており、前記挿入孔１７が形成されている。そして、前記縦枠８の内枠部１１の一端部に鍔部１２，１２が一体的に形成され、両鍔部１２，１２の中間に前記係合溝１４が形成されている。前記係合溝１４は、開口縁が内部よりも幅狭に形成され、前記弾性シール材７を表側表皮材３Ａと裏側表皮材３Ｂの周縁部とともに圧入した状態で、係合溝１４内から容易に抜け出さないようになっている。前記コーナー枠１０は、合成樹脂の成形品であり、内枠部１１の外側に円弧状に鍔部１２，１２が一体的に形成されている。ここで、前記コーナー枠１０の両鍔部１２，１２の中間に形成した係合溝１４は、成形品の型抜きを考慮して開口縁は内部より狭くなっていない。また、前記コーナー枠１０の内枠部１１の端部には一対の係合爪２０，２０を設けるとともに、他端部に突片２１を形成している。
【００２８】
前記縦枠８と横枠９との連結構造を図３及び図５に基づいて説明する。先ず、図５に示すように、前記横枠９の内枠部１１の端部で鍔部１２，１２を含む半分を段状に切り欠き、該内枠部１１の底面部を上下方向に露出させ、該底面部に取付孔２２を穿孔する。前記横枠９の内枠部１１の端部を前記縦枠８の内枠部１１の端面に接合し、前記取付孔２２に挿通したネジ１９を前記縦枠８のネジ受溝１５に螺入して連結し、前記コーナー枠１０の突片２１を前記縦枠８の内枠部１１の内部で前記係合溝１４を形成する部分に係止するとともに、両係合爪２０，２０を前記横枠９の内枠部１１の切欠縁２３，２３に弾性的に係止する。尚、前記切欠縁２３，２３は、前記横枠９の内枠部１１の両内面に突条部を形成しておき、この突条部を残して内枠部１１の半分を切り欠いて形成する。前記コーナー枠１０を前記縦枠８と横枠９の端部に装着した状態では、縦枠８、コーナー枠１０及び横枠の各鍔部１２，１２は、外面が連続する。
【００２９】
このように、両縦枠８，８と上下横枠９，９を連結し、コーナー部にそれぞれコーナー枠１０，…を嵌着して枠体４を構成した後、該枠体４の内部空間に板状の前記芯材６を配置し、両側から前記ピンナップボード５，５を、それぞれ背面周縁部を前記枠体４の内枠部１１の前後面に沿わせるとともに、外周端面を鍔部１２，１２に当接状態で嵌合する。この際に、ペーパーハニカムからなる前記芯材６の表裏両面に接着剤を塗布しておき、前記ピンナップボード５，５を両側から押圧して接着し、パネル体２を製造する。実際には、一方のピンナップボード５を水平台に置き、その上に枠体４の内枠部１１の表裏一側を載せて周囲の鍔部１２を外嵌し、それから表裏両面に接着剤を塗布した芯材６を枠体４内で前記ピンナップボード５の上に載置し、更にその上からもう一方のピンナップボード５を枠体４の鍔部１２内に嵌合して載置し、その上から接着剤が硬化するまで加圧板で押圧（圧締）するのである。ここで、前記芯材６の厚さは前記枠体４の内枠部１１の厚さよりも若干厚く設定しておき、両ピンナップボード５，５を内枠部１１に接触するまで押圧することで前記芯材６を押し縮めて強固に接着する。
【００３０】
次に、図４に示すように、前記パネル体２の表裏のピンナップボード５，５の表面に接着剤を塗布した後、該パネル体２の表裏にそれぞれ表側表皮材３Ａと裏側表皮材３Ｂを配置し、両表皮材３Ａ，３Ｂの周縁部を前記係合溝１４内に長尺の弾性シール材７とともに押し込み係合状態で保持する。前記パネル体２のピンナップ面は全てピンナップボード５で構成されているので、表面に段差や凹凸がなく、また表皮材３Ａ，３Ｂは張力も持たせて張るので、パネル体２の外覆するように綺麗に表皮材３を接着することができる。
【００３１】
このように構成したパネル装置１を図１のようにテーブルＡに立起状態で装着するには、前述のように、支持杆１６を下方のコーナー枠１０の貫通孔１８から挿入し、前記縦枠８の挿入孔１７内に嵌挿する。前記支持杆１６の下端には取付金具２４が固定されており、該取付金具２４を図９に示すように、テーブルＡの前後の天板１３，１３間に設けた配線ダクト２５内に臨む固定部２６に取付ける。尚、組立順は、先に前記取付金具２４を固定部２６に取付け、配線ダクト２５から立起した両支持杆１６に、前記パネル装置１の前記貫通孔１８と挿入孔１７を落とし込み挿入する。また、図１及び図９に示すように、前記パネル装置１の前後部のダクト開口部にはダクトカバー２７，２７を着脱可能且つ回転開閉可能に設けている。
【００３２】
尚、前記パネル装置１の貫通孔１８と挿入孔１７を利用できない箇所に該パネル装置１を装着するには、前記上下の横枠９，９の適所に予め孔を穿設し、図４に示すように、長尺の支持杆２８と下端に取付金具２９を固定した部材を利用する。ここで、下側の横枠９には上下に貫通した孔を形成し、上側の横枠９には内枠部１１の底面部のみに孔を形成し、下から両孔に前記支持杆２８を挿入し、その上端を前記係合溝１４を設けた部分に当止して取付ける。
【００３３】
対面使用のテーブルＡのそれぞれの側に着座した者が、前記パネル装置１をフロントパネルとして利用できるとともに、対面するパネル装置１の全面をピンナップボードとして使用することができる。
【符号の説明】
【００３４】
１  パネル装置、        ２  パネル体、
３  表皮材、            ３Ａ  表側表皮材、
３Ｂ  裏側表皮材、      ４  枠体、
５  ピンナップボード、  ６  芯材、
７  弾性シール材、      ８  縦枠、
９  横枠、              １０  コーナー枠、
１１  内枠部、          １２  鍔部、
１３  天板、            １４  係合溝、
１５  ネジ受溝、        １６  支持杆、
１７  挿入孔、          １８  貫通孔、
１９  ネジ、            ２０  係合爪、
２１  突片、            ２２  取付孔、
２３  切欠縁、          ２４  取付金具、
２５  配線ダクト、      ２６  固定部
２７  ダクトカバー、
Ａ  テーブル。
【図１】
2019030605.tif 000003
【図２】
2019030605.tif 000004
【図３】
2019030605.tif 000005
【図４】
2019030605.tif 000006
【図５】
2019030605.tif 000007
【図６】
2019030605.tif 000008
【図７】
2019030605.tif 000009
【図８】
2019030605.tif 000010
【図９】
2019030605.tif 000011